(57)【特許請求の範囲】
【請求項１】
第１バルブボディと、第２バルブボディと、前記第１および第２バルブボディ間に挟持されるセパレータプレートとを備え、
前記第１および第２バルブボディのいずれかに配設されて上流側において油圧制御を行う上流側油圧制御要素と、前記第１および第２バルブボディのいずれかに配設されて下流側において油圧制御を行う下流側油圧制御要素と、前記上流側油圧制御要素と前記下流側油圧制御要素とを繋ぐ連通油路と、前記連通油路内に設けられた絞り要素とを有してなる油圧制御装置であって、
前記セパレータプレートにスロット状開口が形成されており、
前記セパレータプレートを前記第１および第２バルブボディにより挟持した状態で、前記連通油路における前記上流側油圧制御要素に繋がる部分が前記スロット状開口の一端に連通し、前記連通油路における前記下流側油圧制御要素に繋がる部分が前記スロット状開口の他端に連通し、前記スロット状開口が前記第１および第２バルブボディにより挟まれて形成される細長い空間により前記絞り要素を形成し、
前記下流側油圧制御要素が、前記連通油路における前記絞り要素より下流側に設けたオリフィスと、前記オリフィスの前後差圧を受けて作動する油圧バルブとから構成され、
前記連通油路における前記絞り要素より上流側から分岐して前記連通油路における前記オリフィスの下流側に繋がるバイパス油路が設けられていることを特徴とする油圧制御装置。
【請求項２】
前記上流側油圧制御要素が、前記連通油路における前記絞り要素の上流側の油圧を受けて前記バイパス油路の開度を制御するシフトバルブから構成され、前記絞り要素の上流側の油圧が高くなるに応じて前記シフトバルブが前記バイパス油路を開放させるように構成されていることを特徴とする請求項１に記載の油圧制御装置。
【請求項３】
前記上流側油圧制御要素および前記下流側油圧制御要素が前記第１バルブボディ内に配設され、前記連通油路における前記上流側油圧制御要素に繋がる部分が前記第１バルブボディ内に形成されて前記スロット状開口の一端に対向する位置に開口し、前記連通油路における前記下流側油圧制御要素に繋がる部分が前記第１バルブボディ内に形成されて前記スロット状開口の他端に対向する位置に開口することを特徴とする請求項１もしくは２に記載の油圧制御装置。
【発明の詳細な説明】
【０００１】
【発明の属する技術分野】
本発明は、内部油路に絞り要素（特に、一般的にチョーク油路と称される絞り要素）を有してなる油圧制御装置に関する。
【０００２】
【従来の技術】
変速機の変速制御を油圧力を用いて行う構成は従来から良く知られており、変速機にはこの変速制御のための油圧制御装置が設けられている。このような油圧制御装置はオイルポンプから供給される作動油をレギュレータバルブにより調圧してライン圧を作り、このライン圧を用いて各種制御油圧を作り出して変速制御等を行うようになっている。また、オイルポンプからレギュレータバルブに供給された作動油のうち、ライン圧を有して各種制御に用いられる作動油以外の作動油は、レギュレータバルブから排出された後、変速機内部機構の潤滑用として用いられる。このとき潤滑圧を適切に制御して各内部機構に所望の量の潤滑油を配分して供給できるようにするため、各種の潤滑制御バルブが油圧制御装置に設けられる。
【０００３】
このような油圧制御装置において、内部油路内に種々の絞り（オリフィス、チョーク等のような絞り）が設けられることが多い。例えば、特開平４−２５４０５７号公報には、変速機ハウジングの側端面にセパレータプレートを挟んで油圧制御バルブを接合配設し、セパレータプレートに穿けた小孔により絞り（オリフィス）を構成してなる油圧制御装置が開示されている。
【０００４】
【発明が解決しようとする課題】
このようにセパレータプレートに穿けた小孔によりオリフィス絞りを構成することは可能であるが、例えば実公平７−２０４３７号公報に開示されているような「絞り孔径に比して絞り流路長が長い粘性高感受型絞り要素（チョーク絞り）」を構成することはできない。なお、バルブボディ内にチョーク絞りを形成することは可能である。但し、チョーク絞りは小径であるため鋳造により成型することは難しく、ドリル加工等の機械加工を必要とし、このため、加工が難しく且つ加工費が高くなるという問題がある。
【０００５】
また、セパレータプレートに形成した小孔をオリフィスとして用いるには、セパレータプレートの片側に設けられた油路からセパレータプレートの小孔を通って反対側に設けられた油路に油を流す構成にする必要がある。このため、セパレータプレートの片側のバルブボディ内にのみ設けられた流路内にオリフィスを形成する場合、セパレータプレートに形成した小孔をオリフィスとして用いるのが難しいという問題がある。
【０００６】
本発明はこのような問題に鑑みたもので、セパレータプレートを用いてチョーク絞りを形成することができ、また、セパレータプレートの片側のバルブボディ内にのみ位置する流路に設ける絞りをセパレータプレート内に形成することができるような構成の油圧制御装置を提供することを目的とする。
【０００７】
【課題を解決するための手段】
このような目的達成のため、本発明においては、第１バルブボディと、第２バルブボディと、これら第１および第２バルブボディ間に挟持されるセパレータプレートとを備え、第１および第２バルブボディのいずれかに配設されて上流側において油圧制御を行う上流側油圧制御要素（例えば、実施形態におけるＳＣシフトバルブ９２）と、第１および第２バルブボディのいずれかに配設されて下流側において油圧制御を行う下流側油圧制御要素（例えば、実施形態におけるＳＣバックアップバルブ９４）と、上流側油圧制御要素と下流側油圧制御要素とを繋ぐ連通油路（例えば、実施形態における油路１０３）と、この連通油路内に設けられた絞り要素（例えば、実施形態におけるチョーク絞り７５）とを有して油圧制御装置が構成される。その上で、セパレータプレートにスロット状開口（例えば、実施形態におけるチョーク絞り開口７５ａ）が形成されており、このセパレータプレートを第１および第２バルブボディにより挟持した状態で、連通油路における上流側油圧制御要素に繋がる部分がスロット状開口の一端に連通し、連通油路における下流側油圧制御要素に繋がる部分がスロット状開口の他端に連通する。これにより、スロット状開口が第１および第２バルブボディにより挟まれて形成される細長い空間により絞り要素を形成するようになっている。
さらに、下流側油圧制御要素が、連通油路における絞り要素より下流側に設けたオリフィスと、オリフィスの前後差圧を受けて作動する油圧バルブとから構成され、連通油路における絞り要素より上流側から分岐して連通油路におけるオリフィスの下流側に繋がるバイパス油路が設けられている。
なお、上流側油圧制御要素が、連通油路における絞り要素の上流側の油圧を受けてバイパス油路の開度を制御するシフトバルブから構成され、絞り要素の上流側の油圧が高くなるに応じてシフトバルブがバイパス油路を開放させるように構成されるのが好ましい。
【０００８】
上記構成の油圧制御装置では、上流側油圧制御要素からこれに繋がる連通油路に流れる作動油はセパレータプレートのスロット状開口の一端からこのスロット状開口を通って他端側に流れ、この他端側に繋がる連通油路から下流側油圧制御要素に流れる。このとき、スロット状開口は第１および第２バルブボディにより挟まれて形成される細長い空間からなり、いわゆる絞り流路長さの長いチョーク絞りを形成する。すなわち、本発明の油圧制御装置では、セパレータプレートに形成したスロット状開口によりチョーク絞りを構成することができる。
ここで、下流側油圧制御要素が、連通油路における絞り要素より下流側に設けたオリフィスと、オリフィスの前後差圧を受けて作動する油圧バルブとから構成されるが、例えば、連通油路を流れる油の温度が低くて粘性が高いときには油温が高いときに比べて、同一流量でもオリフィス前後差圧が高くなり、下流側油圧制御要素を構成する前記油圧バルブの作動が油温に大きく影響されることになる。
ところが、本発明の油圧制御装置では、絞り要素が絞り流路長さの長いチョーク絞りを形成しているため、油温変化に伴う粘性の変化に応じて流路抵抗が大きく変化する構成であるため、油温が低温のときには連通油路における絞り要素より上流側の油圧が大きく上昇してバイパス油路側に流れる構成であるため（特に、上流側油圧制御要素を構成するシフトバルブを有する構成であれば、このシフトバルブがこのように上昇した絞り要素の上流側の油圧を受けてバイパス油路の開度を開放させる構成であるため）、下流側油圧制御要素を構成する前記油圧バルブの作動が油温に影響されることが無くなる。
【０００９】
なお、上記油圧制御装置において、上流側油圧制御要素および下流側油圧制御要素が第１バルブボディ内に配設され、連通油路も第１バルブボディ内に形成される場合、連通油路における上流側油圧制御要素に繋がる部分を第１バルブボディ内に形成してスロット状開口の一端に対向する位置に開口させ、連通油路における下流側油圧制御要素に繋がる部分を第１バルブボディ内に形成してスロット状開口の他端に対向する位置に開口させるのが好ましい。
【００１０】
このように構成すれば、セパレータプレートの片側に位置して第１バルブボディ内にのみ上流側および下流側油圧制御要素と連通油路とが設けられる場合でも、セパレータプレートに形成したスロット状開口をこの連通油路内に位置するチョーク絞りとして用いることができる。
【００１１】
【発明の実施の形態】
以下、図面を参照して本発明の好ましい実施形態について説明する。図１および図２に本発明に係る油圧制御装置を備えたベルト式無段変速機ＣＶＴを示している。このベルト式無段変速機ＣＶＴは、エンジンＥＮＧの出力軸Ｅｓとカップリング機構ＣＰを介して繋がる変速機入力軸１と、この変速機入力軸１と平行に配設された変速機カウンタ軸２と、変速機入力軸１および変速機カウンタ軸２の間を繋いで配設された金属Ｖベルト機構１０と、変速機入力軸１上に配設された遊星歯車式の前後進切換機構２０と、変速機カウンタ軸２上に配設された発進クラッチ機構４０と、出力伝達ギヤ列６ａ，６ｂ，７ａ，７ｂおよびディファレンシャル機構８とを変速機ハウジング内に備える。また、変速機入力軸１上に位置してオイルポンプ５０が配設されている。
【００１２】
なお、変速機ハウジングは第１〜第４ハウジングＨ１〜Ｈ４をボルト結合して構成されており、第１ハウジングＨ１内にカップリング機構ＣＰが配設され、第１および第２ハウジングＨ１，Ｈ２に囲まれた空間内に発進クラッチ４０、出力伝達ギヤ列６ａ，６ｂ，７ａ，７ｂ、ディファレンシャル機構８等が配設され、第２および第３ハウジングＨ２，Ｈ３に囲まれた空間内に金属Ｖベルト機構１０が配設され、第３および第４ハウジングＨ３，Ｈ４に囲まれた空間内に前後進切換機構２０が配設されている。
【００１３】
金属Ｖベルト機構１０は、変速機入力軸１上に配設された駆動側プーリ１１と、変速機カウンタ軸２上に配設された従動側プーリ１６と、両プーリ１１，１６間に巻き掛けられた金属Ｖベルト１５とから構成される。駆動側プーリ１１は、変速機入力軸１上に回転自在に配設された固定プーリ半体１２と、この固定プーリ半体１２に対して軸方向に移動可能で一体回転する可動プーリ半体１３とからなり、駆動側シリンダ室１４に供給される油圧力により可動プーリ半体１３を軸方向に移動させる制御がなされる。一方、従動側プーリ１６は、変速機カウンタ軸２に固定された固定プーリ半体１７と、この固定プーリ半体１７に対して軸方向に移動可能で一体回転する可動プーリ半体１８とからなり、従動側シリンダ室１９に供給される油圧力により可動プーリ半体１８を軸方向に移動させる制御がなされる。
【００１４】
このため、上記両シリンダ室１４，１９への供給油圧を適宜制御することにより、可動プーリ半体１３，１８に作用する軸方向移動力を制御し、両プーリ１１，１６のプーリ幅を変化させることができる。これにより、金属Ｖベルト１５の両プーリ１１，１６に対する巻き掛け半径を変化させて変速比を無段階に変化させる制御を行うことができる。
【００１５】
前後進切換機構２０は、変速機入力軸１に繋がるサンギヤ２１と、サンギヤ２１と噛合する複数のピニオンギヤ２２ａを回転自在に保持するとともにサンギヤ２１と同軸上を回転自在なキャリア２２と、ピニオンギヤ２２ａと噛合するとともにサンギヤ２１と同軸上を回転自在なリングギヤ２３とを有したシングルピニオンタイプの遊星歯車機構からなり、キャリア２２を固定保持可能な後進ブレーキ２５と、サンギヤ２１とリングギヤ２３とを係脱自在に繋げる前進クラッチ３０とを備える。なお、後進ブレーキ２５および前進クラッチ３０はその詳細構造説明は省略するが、作動油圧の給排制御により係脱制御が行われる。
【００１６】
このように構成された前後進切換機構２０において、後進ブレーキ２５が解放された状態で前進クラッチ３０を係合させると、サンギヤ２１とリングギヤ２３とが結合されて一体回転する状態となり、サンギヤ２１、キャリア２２およびリングギヤ２３の全てが変速機入力軸１と一体回転して、駆動プーリ１１が変速機入力軸１と同方向（前進方向）に回転駆動される状態となる。一方、前進クラッチ３０を解放させて後進ブレーキ２５を係合させると、キャリア２２が固定保持され、リングギヤ２３はサンギヤ２１と逆の方向に回転され、駆動プーリ１１が変速機入力軸１とは逆方向（後進方向）に回転駆動される状態となる。
【００１７】
以上のようにして、変速機入力軸１の回転が前後進切換機構２０により切換されて駆動側プーリ１１が前進方向もしくは後進方向に回転駆動されると、この回転が金属Ｖベルト機構１０により無段階に変速されて変速機カウンタ軸２に伝達される。変速機カウンタ軸２には発進クラッチ４０が配設されており、この発進クラッチ４０により出力伝達ギヤ６ａへの駆動力伝達制御が行われる。このように発進クラッチ４０により制御されて出力伝達ギヤ６ａに伝達された回転駆動力は、この出力伝達ギヤ６ａを有する出力伝達ギヤ列６ａ，６ｂ，７ａ，７ｂおよびディファレンシャル機構８を介して左右の車輪（図示せず）に伝達される。このため、発進クラッチ４０による係合制御を行えば、車輪に伝達される回転駆動力制御が可能であり、例えば、発進クラッチ４０により車両発進制御を行うことができる。
【００１８】
なお、この発進クラッチ４０の係合制御はエンジン回転に応じて行われるものであり、後述するようにエンジン回転速度に対応する回転対応油圧Ｐｒを受けて係合制御が行われる。この回転対応油圧Ｐｒは、正常時と、電気的な故障時とで異なる油圧発生装置を用いて作られるが、これについては後述する。
【００１９】
以上のように構成された無段変速機において、上述したように、金属Ｖベルト機構１０を構成する駆動側シリンダ室１４および従動側シリンダ室１９への作動油の給排制御を行って無段変速制御が行われ、前後進切換機構２０を構成する前進クラッチ３０および後進ブレーキ２５への作動油給排制御により前後進切換制御が行われ、発進クラッチ４０への作動油圧供給制御により発進制御が行われる。このような制御のため、作動油の供給を行うオイルポンプ５０と、オイルポンプ５０からの油の給排制御を行う油圧制御バルブ（第１油圧制御バルブ６０、セパレータプレート７０および第２油圧制御バルブ８０から構成される）とが設けられている。
【００２０】
オイルポンプ５０は図１に示すように変速機入力軸１の上に取り付けられおり、この部分を拡大して図３に示している。また、オイルポンプ５０が変速機入力軸１の上に組み付けられる前の状態、すなわちポンプ単体での構成を図４に示している。変速機ハウジングを構成する第１ハウジングＨ１の側端面（図１および図３における左側端面）Ｓ１に第１油圧制御バルブ６０が接合して配設されており、この第１油圧制御バルブ６０の側端面（図１および図３における右側端面）Ｓ２にオイルポンプ５０が接合して配設されている。なお、第１ハウジングＨ１の側端面Ｓ１を図５に示し、第１油圧制御バルブ６０の側端面Ｓ２を図６に示している。図５から分かるように、第１ハウジングＨ１の側端面Ｓ１には多数の油路溝が形成されており、油圧制御バルブの一部を構成しており、この部分も特許請求の範囲のバルブボディに該当する。なお、これらの図において変速機入力軸１の軸芯の位置を符号Ｏ１で示している。
【００２１】
上記第１油圧制御バルブ６０の上にはセパレータプレート７０と第２油圧制御バルブ８０とが図示のように重なって接合配設されている。このようにセパレータプレート７０が重ねられる第１油圧制御バルブ６０の左側端面Ｓ３を図７に示し、セパレータプレート７０を図８に示し、第２油圧制御バルブ８０の右側端面Ｓ４を図９に示している。これらの図においても変速機入力軸１の軸芯の位置を符号Ｏ１で示している。なお、第１油圧制御バルブ６０はそのバルブボディ６０ａ内に複数のバルブスプール等が配設されて、複数の油圧制御バルブ（油圧制御要素）が設けられているが、第２油圧制御バルブ８０はそのバルブボディ８０ａ内に油路溝が形成されただけで、バルブスプールは配設されていない。
【００２２】
このように第１ハウジングＨ１の側端面Ｓ１の上に接合配設された第１油圧制御バルブ６０の側端面にオイルポンプ５０を接合配設した状態では、オイルポンプ５０は第１ハウジングＨ１の側端面Ｓ１より内側（図１および図３における右側）に突出する。このため、オイルポンプ５０を収容するためのポンプ収容凹部Ｄ１が第１ハウジングＨ１に形成されている。なお、このポンプ収容凹部Ｄ１は図５におけるハッチングを施した部分に形成されている。これにより、オイルポンプ５０を変速機ハウジング内にコンパクトに配設することができる。
【００２３】
オイルポンプ５０は、ロータ受容凹部５１ａを有したポンプケーシング５１と、ロータ受容凹部５１ａにより形成される空間内に外周部が回転自在に受容保持されたアウターロータ５２と、このように受容保持されたアウターロータ５２のインターナルトロコイド歯５２ａに囲まれた空間内に配設されたインナーロータ５３と、このようにアウターロータ５２およびインナーロータ５３をロータ受容凹部５１ａ内に配設した状態でこれらを覆ってポンプケーシング５１にボルト５６により取り付けられたポンプカバー５４とを備えて構成される。さらに、ポンプケーシング５１にはリング状受け部５１ｃを有して軸方向に貫通形成された挿入孔５１ｂが形成されており、この挿入孔５１ｂ内にベアリング５５が挿入配設されている。
【００２４】
ベアリング５５は軸方向外側端面がリング状受け部５１ｃに当接して位置決めされており、この状態でベアリング５５の軸方向内側端部５５ａがロータ受容凹部５１ａ内に突出する。そして、このように突出する軸方向内側端部５５ａを受容するリング状の嵌入凹部５３ｂがインナーロータ５３の側端面に形成されている。この結果、オイルポンプ５０が図４に示すように単体で組み立てられた状態において、インナーロータ５３がベアリング５５の軸方向内側端部５５ａの外周にガイドされ、ベアリング５５と同心となるようにセンタリングされて回転自在に保持される。一方、アウターロータ５２を回転自在に受容保持するロータ受容凹部５１ａはベアリング５５の中心に対して偏心しており、アウターロータ５２はポンプケーシング５１により偏心してセンタリングされる。この結果、アウターロータ５２の内周側インターナルトロコイド歯５２ａがインナーロータ５３の外周側エクスターナルトロコイド歯５３ａと偏心状態で噛合する。
【００２５】
ポンプカバー５４には図４（Ｂ）に示すように吸入ポート開口５４ａ，５４ｂと吐出ポート開口５４ｃ，５４ｄとが形成されている。さらに、ポンプケーシング５１には吸入ポート開口５４ａ，５４ｂに連通する吸入ポート空間５１ｄと、吐出ポート開口５４ｃ，５４ｄに連通する吐出ポート空間５１ｅとが形成されている。これら吸入ポート空間５１ｄおよび吐出ポート空間５１ｅはベアリング５５の挿入孔５１ｂの外周側に設けられている。このように、ベアリング５５の挿入孔５１ｂのために軸方向に厚くなる部分を利用して吸入ポート空間５１ｄおよび吐出ポート空間５１ｅを設けることにより、オイルポンプ５０の幅方向寸法が大きくなることを防止している。
【００２６】
ポンプカバー５４にはベアリング５５と同心に位置する貫通孔５４ｅが軸方向に貫通して形成されており、変速機入力軸１が貫通孔５４ｅを通ってベアリング５５内に挿入するようにしてオイルポンプ５０が変速機入力軸１の上に取り付けられる。このとき上述のようにインナーロータ５３がベアリング５５によりセンタリングされて保持されているため、変速機入力軸１上へのオイルポンプ５０の取付作業を簡単に行うことができる。この状態で、ポンプケーシング５１およびポンプカバー５４が第１油圧制御バルブ６０の側端面Ｓ２にボルト結合されて取り付けられ、変速機入力軸１はベアリング５５により回転自在に支持される。さらに、変速機入力軸１に形成されたエクスターナルスプライン１ａがインナーロータ５３の内径部に形成されたインターナルスプライン５３ｃと嵌合し、変速機入力軸１とインナーロータ５３とが一体回転する状態となる。
【００２７】
なお、ポンプケーシング５１およびポンプカバー５４が第１油圧制御バルブ６０の側端面Ｓ２にボルト結合されて取り付けられた状態で、吸入ポート開口５４ａ，５４ｂおよび吐出ポート開口５４ｃ，５４ｄにそれぞれ対向する吸入油路６１および吐出油路６２が、図６に示すように、第１油圧制御バルブ６０のバルブボディ６０ａに形成されている。吸入油路６１は、一端側６１ａにおいて吸入ポート開口５４ａ，５４ｂと対向し、他端側６１ｂにおいてストレーナＳＴ（図１参照）と繋がる。ストレーナＳＴは変速機ハウジングの底部に形成されたオイルタンク空間内に位置し、ストレーナＳＴから吸入油路６１を介してオイルタンク空間内の作動油を吸入するようになっている。また吐出油路６２は、一端側６２ａにおいて吐出ポート開口５４ｃ，５４ｄと対向し、他端側６２ｂにおいてバルブボディ６０ａ内の内部油路と繋がる。このため、オイルポンプ５０からの吐出油が油路６２を介してバルブボディ６０ａ内に供給される。
【００２８】
以上のように構成されたベルト式無段変速機ＣＶＴにおいて、エンジンＥＮＧにより変速機入力軸１が回転駆動されると、変速機入力軸１とともにインナーロータ５３が回転され、インナーロータ５３の外周側エクスターナルトロコイド歯５３ａとアウターロータ５２の内周側インターナルトロコイド歯５２ａとが偏心状態で噛合したままアウターロータ５２が一緒に回転される。この結果、ストレーナＳＴおよび吸入油路６１を通って吸入ポート開口５４ａ，５４ｂおよび吸入ポート空間５１ｄから作動油が吸入され、吐出ポート開口５４ｃ，５４ｄおよび吐出ポート空間５１ｅに作動油が吐出され、この吐出油が吐出油路６２を通って第１油圧制御バルブ６０に供給される。そして、第１制御バルブ６０、セパレータプレート７０および第２制御バルブ８０により金属Ｖベルト機構１０による変速制御、前後進切換機構２０の作動制御および発進クラッチ４０の作動制御を行う制御油圧が作られる。
【００２９】
但し、本実施形態に係るベルト式無段変速機ＣＶＴにおいては、図１０に示すように、第２ハウジングＨ２の上面に第３油圧制御バルブ８５が配設されており、上記第１油圧制御バルブ６０および第２油圧制御バルブ８０等に加えて第３油圧制御バルブ８５により上記制御油圧が作られて、上述の各制御が行われる。第３油圧制御バルブ８５は変速機の外面に配設されるものであるため、ソレノイドバルブ等のような電気制御部品や、作動点検、部品交換等が要求されることが多い油圧制御バルブ要素およびその部品などが主としてこの第３油圧制御バルブ８５に搭載される。
【００３０】
なお、図１０にはベルト式無段変速機ＣＶＴを第１ハウジングＨ１およびこれに取り付けられた部品を取り外した状態でエンジン側から見て示しており、変速機入力軸１の軸心位置を符号Ｏ１で示し、変速機カウンタ軸２の軸心位置を符号Ｏ２で示し、出力伝達ギヤ６ｂ，７ａが設けられたシャフトの軸心位置を符号Ｏ３で示し、ディファレンシャル機構８の軸心位置を符号Ｏ４で示している。
【００３１】
上記第１から第３油圧制御バルブ６０，８０，８５による各制御は、図１１に示すようにオイルポンプ５０により変速機ハウジング底面に形成されたオイルタンクＯＴから吸入して吐出供給される作動油をレギュレータバルブ９０により調圧して作られたライン圧ＰＬを用いて行われる。なお、レギュレータバルブ９０にはライン１０１から第１制御圧Ｐc1が作用しており、ライン圧ＰＬは第１制御圧Ｐc1に応じて設定される。このライン圧ＰＬは油路１００を介して供給されるが、このライン圧ＰＬを用いて制御を行う各油圧制御バルブ要素についての説明は省略する。
【００３２】
一方、図１１において、レギュレータバルブ９０により調圧されたときの余剰油は油路１０２に送られ、回転対応油圧Ｐｒを作り出したり、潤滑油として変速機内部機構に供給されたり、オイルタンクＯＴに戻されたりする。このときに、回転対応油圧制御、潤滑油圧制御等を行う油圧制御バルブ要素が図１１に示すように設けられており、これについて以下に説明する。
【００３３】
レギュレータバルブ９０から余剰油が供給される油路１０２は油路１０２ａと油路１０３（この油路１０３は図示のようにチョーク絞り７５の上流側油路１０３ａと下流側油路１０３ｂとからなる）とに分岐し、分岐油路１０２ａはＳＣシフトバルブ９２のポート９２ｂに繋がる。ＳＣシフトバルブ９２は、軸方向に移動自在に配設されたスプール９３ａとこれを右方に付勢するスプリング９３ｂとを有して構成され、右端部に第２制御油圧Ｐc2が作用するポート９１ａが設けられ、左端部に油路１０３ａの油圧を受けるポート９２ｄが設けられ、中間部に油路１０５に繋がるポート９２ｃが設けられている。第２制御油圧Ｐc2は正常時には零で、電気的な故障発生時に所定の油圧となる圧である。このため、正常時にはスプール９３ａはスプリング９３ｂに付勢されて図示のように右動された位置にあり、分岐油路１０２ａはポート９２ｂおよび９２ｃを介して油路１０５に連通する。
【００３４】
一方、油路１０３はチョーク絞り７５および第１オリフィス絞り６６を介して油路１０６に繋がり、油路１０６は変速機内部機構の潤滑部に繋がっている。また、上記油路１０５もそのまま油路１０６に繋がっている。このため、正常時には、油路１０２に流れてくる作動油は、チョーク絞り７５および第１オリフィス絞り６６が流路抵抗となって油路１０３にはあまり流れず、主として油路１０２ａからＳＣシフトバルブ９２を通って油路１０５に流れて、油路１０６から内部機構の潤滑油として供給される。なお、この油路１０５は油路１０７から潤滑バルブ９６に繋がっており、この潤滑バルブ９６により潤滑圧が油路１１６を介して作用する第３制御圧Ｐc3に対応した所定の圧となるように調整される。この潤滑バルブ９６により調圧されるときの余剰油は油路１０８からオイルクーラ９８およびフィルタ９９を通ってオイルタンクＯＴに戻され、油路１０９からオイルポンプ５０の吸入側に戻される。
【００３５】
油路１０３ｂにおける第１オリフィス絞り６６の前後からそれぞれ油路１１３，１１４が分岐しており、これら油路１１３，１１４はＳＣバックアップバルブ９４に繋がる。ＳＣバックアップバルブ９４は、軸方向に移動自在なスプール９５ａとこれを左方向に付勢するスプリング９５ｂとを有し、油路１１３，１１４が繋がるポート９４ａ，９４ｂと、第２制御圧Ｐc2が作用する油路１１２に繋がるポート９４ｃと、回転対応油圧Ｐｒを出力するための油路１１５に繋がるポート９４ｄ，９４ｅとが設けられている。ＳＣバックアップバルブ９４は、故障時において所定油圧となる第２制御圧Ｐc2が油路１１２から供給されたときに、第１オリフィス絞り６６の前後の差圧に応じて回転対応油圧Ｐｒを油路１１５に出力するために用いられ、第２制御圧Ｐc2が零となる正常時には回転対応油圧Ｐｒは零であり、ＳＣバックアップバルブ９４は用いられない。
【００３６】
なお、回転対応油圧Ｐｒは前述のように発進クラッチ４０の係合制御に用いられる油圧であり、エンジンＥＮＧの回転速度Ｎｅ（もしくは変速機入力軸１の回転速度）に対応する油圧である。正常時はに上記のように油路１１５に出力される回転対応油圧Ｐｒは零であるが、これとは別に電磁比例バルブからなる発進クラッチ制御バルブ（図示せず）が設けられており、この発進クラッチ制御バルブにより回転対応油圧Ｐｒが作られて、この回転対応油圧Ｐｒを用いて発進クラッチ４０の係合制御が行われる。
【００３７】
ところが、電気的な故障時（例えば、システムダウン時のように電気制御バルブへの電力供給が経たれたとき）には電磁比例バルブからなる発進クラッチ制御バルブは用いることができないため、ＳＣバックアップバルブ９４により回転対応油圧Ｐｒを作り出して発進クラッチ４０の係合制御を行うようになっている。このため、故障時におけるＳＣバックアップバルブ９４の作動について説明する。
【００３８】
上述のように故障時には第２制御圧Ｐc2が所定油圧となるように構成されており、この所定油圧の第２制御圧Ｐc2が油路１１１からＳＣシフトバルブ９２のポート９２ａに作用し、そのスプール９３ａを左動させる。この結果、スプール９３ａによりポート９２ｂが閉止され、油路１０２に流れてきた作動油は、油路１０３に送られる。そして、この作動油はチョーク絞り７５および第１オリフィス絞り６６を通って油路１０６に流される。
【００３９】
ここで、レギュレータバルブ９０により調圧されて油路１００に送られるライン圧ＰＬを有した作動油は制御時にのみ必要とされるものであり、油路１０２に流される余剰油量はオイルポンプ５０の吐出油量にほぼ対応する。このオイルポンプ５０は前述のように変速機入力軸１により回転駆動されるものであり、油路１０２に流される油量はエンジンＥＮＧの回転速度に対応している。このため、第１オリフィス絞り６６の前後差圧はエンジン回転速度に対応し、この前後差圧を油路１１３，１１４を介して受けて作動するＳＣバックアップバルブ９４は、油路１１２からの第２制御圧Ｐc2をこの前後差圧に応じて調圧して油路１１５に回転対応油圧Ｐｒとして出力する。このことから分かるように、油路１１５から出力される回転対応油圧Ｐｒはエンジン回転速度に対応する油圧であり、この回転対応油圧Ｐｒを用いて発進クラッチ４０の係合制御を行えば、故障時においてもエンジン回転速度に対応して発進クラッチ４０の係合制御を行うことができる。
【００４０】
但し、第一オリフィス絞り６６の前後差圧は、ここを流れる流量が同一でも、油温が相違して作動油の粘度が異なると変動する。このためこのままでは、例えば、低温時に前後差圧が大きくなりすぎて回転対応油圧Ｐｒが高くなりすぎ、発進クラッチ４０の係合制御を良好に行うことができなくなる。このようなことから、チョーク絞り７５の上流側の油路１０３ａにおいて、油路１０３ａから分岐してＳＣシフトバルブ９２のポート９２ｄに繋がる油路１０４ｂを設け、且つ油路１０３ａから分岐して油路１０６にバイパスするとともに第２オリフィス絞り６７を有する油路１０４ａを設けている。
【００４１】
チョーク絞り７５は、その絞り流路断面積に比して絞り流路長が長くて、ここを流れる油の粘性変化に応じて流路抵抗が大きく変化するように構成されている。このため、油路１０３を流れる油温が低くて粘性が高いときに、チョーク絞り７５の流路抵抗が大きくなって第２オリフィス絞り６７を有する油路１０４ａを通って一部の作動油が油路１０６にバイパスされる。さらに、チョーク絞り７５の上流側の油路１０３ａにおける油圧が高くなり、油路１０４ｂからＳＣシフトバルブ９２のポート９２ｄに作用する油圧が所定値よりも高くなると、スプール９２を右動させて一部の作動油を油路１０２ａから油路１０５にバイパスさせて潤滑油量を確保する。
【００４２】
この結果、油温が低くてその粘性が高いときには、この粘性増加に対応して第１オリフィス絞り６６を流れる油量が少なくなり、その前後差圧が高くなるのが抑えられる。これにより、図１２に示すように、第１オリフィス絞り６６の前後差圧は油温に影響されることなく、常にエンジン回転速度に対応した油圧となり、油路１１５には油温に係わらずエンジン回転に対応した回転対応油圧Ｐｒが出力される。なお、図１２において、横軸にエンジン回転速度Ｎｅ、縦軸に回転対応油圧Ｐｒを示し、実線が図１１の構成の油路１１５から得られる回転対応油圧Ｐｒの変化を示し、破線がチョーク絞り７５および油路１０４ａがないときに油路１１５から得られる回転対応油圧Ｐｒの変化を、油温Ｔ＝−２０°Ｃ，８０°Ｃおよび１２０°Ｃの場合について示す。このため、図１１の構成の油路１１５から得られる回転対応油圧Ｐｒを用いれば、油温が高いときにも低いときにも良好な発進クラッチ４０の係合制御を行うことができる。
【００４３】
以上のような構成の油圧制御バルブにおいて、チョーク絞り７５が第１油圧制御バルブ６０と第２油圧制御バルブ８０とに挟まれたセパレータプレート７０に形成されており、これについて説明する。まず、図６および図７に破線で示すように、第１油圧制御バルブ６０のバルブボディ６０ａ内にＳＣシフトバルブ９２およびＳＣバックアップバルブ９４が配設されている。
【００４４】
一方、チョーク絞り７５の上流側に位置する油路１０３ａを構成する油路として、第２油圧制御バルブ８０のバルブボディ８０ａに図９に示すように上流側油路溝８１が形成されている。また、チョーク絞り７５の下流側に位置する油路１０３ｂを構成する油路として、第１油圧制御バルブ６０のバルブボディ６０ａに図７に示すように油路溝６３が形成され、且つ第２油圧制御バルブ８０のバルブボディ８０ａに図９に示すように油路溝８２が形成されている。また、図８に示すようにセパレータプレート７０にはスロット状開口からなるチョーク絞り開口７５ａが貫通形成されている。
【００４５】
そして、第１および第２油圧制御バルブ６０，８０の間にセパレータプレート７０を挟持したときに、図７および図９において破線で示すように、チョーク絞り開口７５ａが位置する。この部分の断面を図１３（Ａ）に示しており、油路溝８１がチョーク絞り開口７５ａの一端側と連通し、油路溝８２と６３とが対向するとともにチョーク絞り開口７５ａの他端側に連通する。このため、油路溝８１からチョーク絞り開口７５ａを通って油路溝６３，８２に油が流れる。ここで、チョーク絞り開口７５ａの中間部分はバルブボディ６０ａ，８０ａに挟まれており、セパレータプレート７０の厚さ×幅分の断面積しかない狭くて且つ長い絞り流路が形成される。この結果、絞り流路断面積に比して絞り流路長が長くて、ここを流れる油の粘性変化に応じて流路抵抗が大きく変化する構成のチョーク絞り７５を得ることができる。
【００４６】
なお、チョーク絞り７５を、図１３（Ｂ）に示すように、バルブボディ６０ａ′に上流側油路溝６２′および下流側油路溝６３′を形成し、これを溝のないバルブボディ８０ａ′により挟持して構成しても良い。このようにすれば、バルブボディ６０ａ側にのみ油路溝を形成した上でセパレータプレート７０のチョーク絞り開口７５ａを用いてチョーク絞り７５を構成することができる。同様に、図１３（Ｃ）に示すように、バルブボディ６０ａ″に上流側油路溝６２′を形成し、バルブボディ８０ａ″に下流側油路溝８２′を形成してチョーク絞り７５を構成しても良い。
【００４７】
なお、チョーク絞り開口の形状は、図１４に示すように中間部がくびれて細くなるような形状のチョーク絞り開口７５ａ′でも良い。
【００４８】
【発明の効果】
以上説明したように、本発明によれば、スロット状開口が形成されたセパレータプレートを第１および第２バルブボディにより挟持し、スロット状開口が第１および第２バルブボディにより挟まれて形成される細長い空間により絞り要素を形成するようになっている。このため、本発明に係る油圧制御装置では、上流側油圧制御要素からこれに繋がる連通油路に流れる作動油はセパレータプレートのスロット状開口の一端からこのスロット状開口を通って他端側に流れ、この他端側に繋がる連通油路から下流側油圧制御要素に流れるが、スロット状開口は第１および第２バルブボディにより挟まれて形成される細長い空間からなり、いわゆる絞り流路長さの長いチョーク絞りを形成する。すなわち、本発明の油圧制御装置では、セパレータプレートに形成したスロット状開口によりチョーク絞りを構成することができる。
本発明の油圧制御装置ではさらに、下流側油圧制御要素が、連通油路における絞り要素より下流側に設けたオリフィスと、オリフィスの前後差圧を受けて作動する油圧バルブとから構成され、連通油路における絞り要素より上流側から分岐して連通油路におけるオリフィスの下流側に繋がるバイパス油路が設けられている（なお、上流側油圧制御要素が、連通油路における絞り要素の上流側の油圧を受けてバイパス油路の開度を制御するシフトバルブから構成され、絞り要素の上流側の油圧が高くなるに応じてシフトバルブがバイパス油路を開放させるように構成されるのが好ましい）。
ここで、絞り要素が絞り流路長さの長いチョーク絞りを形成し、油温変化に伴う粘性の変化に応じて流路抵抗が大きく変化する構成である。すなわち、油温が低温のときには連通油路における絞り要素より上流側の油圧が大きく上昇してバイパス油路側に流れる構成であるため（特に、上流側油圧制御要素を構成するシフトバルブを有する構成であれば、このシフトバルブがこのように上昇した絞り要素の上流側の油圧を受けてバイパス油路の開度を開放させる構成であるため）、下流側油圧制御要素を構成する前記油圧バルブの作動が油温に影響されることが無くなる。
【００４９】
なお、上記油圧制御装置において、上流側油圧制御要素および下流側油圧制御要素が第１バルブボディ内に配設され、連通油路も第１バルブボディ内に形成される場合、連通油路における上流側油圧制御要素に繋がる部分を第１バルブボディ内に形成してスロット状開口の一端に対向する位置に開口させ、連通油路における下流側油圧制御要素に繋がる部分を第１バルブボディ内に形成してスロット状開口の他端に対向する位置に開口させるのが好ましい。このように構成すれば、セパレータプレートの片側に位置して第１バルブボディ内にのみ上流側および下流側油圧制御要素と連通油路とが設けられる場合でも、セパレータプレートに形成したスロット状開口をこの連通油路内に位置するチョーク絞りとして用いることができる。
【００５０】
また、下流側油圧制御要素は油圧バルブに限られず、油圧シリンダであっても良く、潤滑対象部であっても良い。
【図面の簡単な説明】
【図１】本発明に係る油圧制御装置を有したベルト式無段変速機の断面図である。
【図２】上記無段変速機の動力伝達経路構成を示す概略図である。
【図３】上記無段変速機においてオイルポンプ取付部を拡大して示す断面図である。
【図４】上記オイルポンプ単体の構成を示す側面図および断面図である。
【図５】第１ハウジングにおける第１油圧制御バルブが接合配設される端面Ｓ１を示す端面図である。
【図６】第１油圧制御バルブにおける第１ハウジングと接合される端面Ｓ２を示す側面図である。
【図７】第１油圧制御バルブにおけるセパレータプレートと接合される端面Ｓ３を示す側面図である。
【図８】セパレータプレートの側面図である。
【図９】第２油圧制御バルブにおけるセパレータプレートと接合される端面Ｓ４を示す側面図である。
【図１０】上記無段変速機を第１ハウジングを取り外した状態で示す側面図である。
【図１１】上記油圧制御装置の内部構成を示す油圧回路図である。
【図１２】上記油圧制御装置により作り出される回転対応油圧Ｐｒとエンジン回転との関係を示すグラフである。
【図１３】上記油圧制御装置におけるチョーク絞り部分の構成を示す断面図である。
【図１４】セパレータプレートに形成されるチョーク絞り開口の異なる例を示す側面図である。
【符号の説明】
６０  第１油圧制御バルブ
６０ａ  バルブボディ（第１バルブボディ）
７０  セパレータプレート
７５  チョーク絞り
７５ａ  チョーク絞り開口（スロット状開口）
８０  第２油圧制御バルブ
８０ａ  バルブボディ（第２バルブボディ）
９２  ＳＣシフトバルブ（上流側油圧制御要素）
９４  ＳＣバックアップバルブ（下流側油圧制御要素）
１０３  油路（連通油路）
【図１】
0003712634.tif 000002
【図２】
0003712634.tif 000003
【図３】
0003712634.tif 000004
【図４】
0003712634.tif 000005
【図５】
0003712634.tif 000006
【図６】
0003712634.tif 000007
【図７】
0003712634.tif 000008
【図８】
0003712634.tif 000009
【図９】
0003712634.tif 000010
【図１０】
0003712634.tif 000011
【図１１】
0003712634.tif 000012
【図１２】
0003712634.tif 000013
【図１３】
0003712634.tif 000014
【図１４】
0003712634.tif 000015